【手続補正書】
【提出日】平成18年9月6日(2006.9.6)
【手続補正１】
【補正対象書類名】明細書
【補正対象項目名】特許請求の範囲
【補正方法】変更
【補正の内容】
【特許請求の範囲】
【請求項１】  シールされていない内部領域に隣接して一緒にシールされ、周辺領域において分離されて前記内部領域への開口を画成する少なくとも２個の対向する可撓性のウェブ部分（３１、３２）によって画成された、折り畳み可能な袋状体（２２）と、
分与通路（８４）を画成し、中空の基部（５０）を有する取付け具（２０）であって、前記各基部は、２個の側方端部（７４、７６）を有し、前記２個の側方端部（７４、７６）の各々において収束し終端する２個の全体的に対向して面する壁（７０、７２）を画成し、前記各壁（７０、７２）が、前記開口に沿って前記ウェブ部分（３１、３２）の１個にシール固定された外部面部分を画成し、前記取付け具の中空の基部（５０）が、前記取付け部（２０）を貫通する前記分与通路（８４）の少なくとも一部分を画成し、前記中空の基部（５０）から延び、前記分与通路（８４）の少なくとも１部を画成する口（５２）を含む、取付け具（２０）とを含み、
圧力差に応答してそこを通して流体を流すことを可能にするように開く自動シール性のスリット（２６６）を有するタイプの可撓性弁（１８０）が、前記取付け具の分与通路（８４）を横切って前記中空の取付け具（２０）にシール装着されることを特徴とする包装体。
【請求項２】  前記口（５２）の少なくとも一部を初期に取り囲む、前記袋状体（２２）上の開放可能なカバー（２４）をさらに含む、請求項１に記載の包装体。
【請求項３】  前記カバー（２４）が、前記袋状体（２２）に隣接して前記カバー（２４）の縁部に沿って弱くした脆い領域（６６）を含む、請求項２に記載の包装体。
【請求項４】  少なくとも２個の前記袋状体のウェブ部分（３１、３２）の延長部分として形成された、取外し可能な使い捨てカバー（２４）をさらに含み、前記ウェブ部分が、前記取付け具の口（５２）を取り囲み、かつ、前記取付け具の口（５２）の周りに気密シールされた容積部分を画成するように一緒にシールされた周縁を有する、請求項１に記載の包装体。
【請求項５】  初期状態で前記口（５２）上に装着されて前記分与通路（８４）を塞ぐ、前記分与通路（８４）を開くために動かすことができる、別の外側蓋の形の前記袋状体（２２）上の開放可能なカバーをさらに含む、請求項１に記載の包装体。
【請求項６】  前記弁（１８０）が、前記袋状体（２２）の内部に面する前記弁（１８０）側における圧力上昇に応答して、そこを通る流れを可能にするように開く自動シール性のスリット（２２６）を有し、前記スリット（２２６）が開くとき及び前記スリット（２２６）が閉じるときの両方に、前記取付け具（２０）が一体構造として、前記袋状体（２２）から外側に離れる方向に前記弁（１８０）を越えて突出するように、前記取付け具（２０）内に前記取付け具の分与通路（８４）を横切って配置される、請求項１に記載の包装体。
【請求項７】  シールされていない内部領域に隣接して一緒にシールされ、周辺領域において分離されて前記内部領域への開口を画成する、少なくとも２個の対向する可撓性のウェブ部分（３１、３２）によって画成された折り畳み可能な袋状体（２２）と、
取付け具（２０）であって、前記開口に沿って前記ウェブ部分（３１、３２）にシール固定された基部（５０）、前記取付け具（２０）の一体部品として延び、分与オリフィス（９２）を画成する端部で終端する口（５２）、及び前記内部領域から前記基部（５０）及び口（５２）を通って前記分与オリフィス（９２）へと延びる分与通路（８４）を備える取付け具（２０）と、
前記袋状体（２２）の前記内部に面する、前記弁（１８０）側における圧力上昇に応答して開く自動シール性のスリット（２６６）を有するタイプの可動性弁（１８０）を含み、
前記スリット（２６６）が開くとき及び前記スリット（２６６）が閉じるときに、前記スリット（２６６）が、前記分与オリフィス（９２）の内側に、前記袋状体（２２）部分の前記内部に向かう方向で配置されるように、前記弁（１８０）が、前記取付け具（２０）内に、前記取付け具の分与通路（８４）を横断して、前記分与オリフィス（９２）の内側に、前記袋状体（２２）の内部に向かう方向で配置されることを特徴とする包装体。
【請求項８】  前記取付け具の基部（５０）が、２個の側方端部（７４、７６）を有し、前記２個の側方端部（７４、７６）の各々に収束し終端する２個の全体的に対向して面する側壁（７０、７２）を画成し、
前記側壁（７０、７２）の各々が、前記開口に沿って前記ウェブ部分（３１、３２）の１個にシール固定された外部面部分を画成し、
前記取付け具の口（５２）が、前記分与オリフィス（９２）を画成するほぼ環状の外端を有する、請求項７に記載の包装体。
【請求項９】  少なくとも２個の前記袋状体のウェブ部分（３１、３２）の延長部分として形成された、取外し可能な使い捨てカバー（２４）をさらに含み、前記ウェブ部分が、前記取付け具の口（５２）を取り囲み、かつ、前記取付け具の口（５２）の周りに気密シールされた容積部分を画成するように一緒にシールされた周縁を有する、請求項７に記載の包装体。
【請求項１０】  前記カバー（２４）が、前記袋状体（２２）に隣接して前記カバー（２４）の縁部に沿った、弱くした脆い領域（６６）を含む、請求項７に記載の包装体。
【請求項１１】  初期状態で前記口（５２）の少なくとも一部分を取り囲む、前記袋状体（２２）上の開放可能なカバー（２４）をさらに含む、請求項７に記載の包装体。
【請求項１２】  初期状態で前記口（５２）上に装着されて前記分与通路（８４）を塞ぐ、前記分与通路（８４）を開くために動かすことができる、別の外側蓋の形の開放可能なカバーをさらに含む、請求項７に記載の包装体。
【請求項１３】  前記取付け具（２０）が、前記分与通路（８４）の周りの封止面（９０）をさらに含み、
前記弁（１８０）は、前記スリット（２６６）がその中に画成される中央壁（２６４）を有し、
弁（１８０）が、中央壁（２６４）を横方向に越えかつそれに結合される、周囲フランジ（２７２）を有し、
前記弁（１８０）が、弁フランジ（２７２）を前記取付け具の封止表面（９０）にシール係合させて配置される、請求項７に記載の包装体。
【請求項１４】  前記取付け具の基部（５０）が、前記開口に沿って前記ウェブ部分（３１、３２）にシール固定された複数のリブ（７８）を備える、請求項７に記載の包装体。
【請求項１５】  前記取付け具の基部（５０）が、３個の離隔した平行のリブ（７８）を画成する、請求項１４に記載の包装体。
【請求項１６】  前記各リブ（７８）が、全体的に三角形の横断面を有する、請求項１４に記載の包装体。
【請求項１７】  前記基部（５０）は、前記口（５２）がそこから突出するデッキ（８８）を含む、請求項７に記載の包装体。
【請求項１８】  シールされていない内部領域に隣接して一緒にシールされ、周辺領域において分離されて前記内部領域への開口を画成する少なくとも２個の対向する可撓性のウェブ部分（３１、３２）によって画成された、折り畳み可能な袋状体（２２）、
取付け具（２０）において、前記開口に沿って前記ウェブ部分（３１、３２）にシール固定された基部（５０）と、前記基部（５０）から前記基部（５０）の一体部品として延び、分与オリフィス（９２）を画成する外端で終端する口（５２）と、前記内部領域から前記基部（５０）及び口を通って前記分与オリフィス（９２）へと延びる分与通路（８４）と、内面（９０）であって、前記分与通路（８４）の周りに配置され、環状内部肩部（９０）によって画成され、前記肩部が、前記口（５２）の内部上にあるその一体部品であり、全体的に内側に前記袋状体（２２）の内部に向かう方向に面する内面（９０）とを含む取付け具（２０）、並びに
可撓性弁（１８０）であって、前記袋状体（２２）の前記内部に面する前記弁（１８０）の側における圧力上昇に応答して、そこを通る流れを可能にするように開く自動シール性のスリット（２６６）を備える中央壁（２６４）を有し、前記中央壁（２６４）を横方向に越え、そこに接続される周囲フランジ（２７２）を有し、かつ、弁スリット（２６６）が閉じられたときに、前記弁の中央壁（２６４）を、前記口の内面（９０）の内側に前記袋状体（２２）の前記内部に向かう方向で配置するように、弁フランジ（２７２）を前記取付け具の内面（９０）にシール係合させて、全体的に前記取付け具（２０）内に前記取付け具の分与通路（８４）を横切って配置される可撓性弁（１８０）を含む、包装体。
【請求項１９】  前記容器内部への開口（３４０）を画成する少なくとも１個の全体的に平坦な壁部分（３３４）を有する、容器（２２、３２２）と、
前記取付け具（３４４）の部分が前記平坦な壁部分（３３４）を越えて突出するように、前記開口（３４０）において前記平坦な壁部分（３３４）にシール装着された中空の取付け具（３４４）と、
前記分与包装体から出る流れを調節するように前記中空の取付け具（３４４）に装着され、かつ、前記容器（３２２）の内部に面する前記弁（１８０）側における圧力上昇に応答してそこを通る流れを可能にするように開く自動シール性のスリット（２６６）を有する、可撓性スリット弁（１８０）とを含み、
取外し可能な使い捨てカバー（３６０）が、前記容器（３２２）から前記取付け具（３４４）の前記突起部分を覆って延びて、前記平坦な壁部分（３３４）を越えて突出する前記取付け具（３４４）の部分の周りに気密シールされた容積部分を画成し、
解放可能な取付け手段（３６４）が、前記カバー（３６０）を前記容器（３２２）にシール取付けすることを特徴とする包装体。
【請求項２０】  前記容器（３２２）が、少なくとも２個の端壁（３２８、３３０）と、２個の側壁（３２４、３２６）と、頂壁（３３２）と、前記少なくとも１個の全体的に平坦な壁部分（３３４）によって画成される隅壁（３３４）とによって画成される上端を有し、前記隅壁（３３４）が、前記頂壁（３２２）と、前記側壁（３２４、３２６）と、前記端壁（３２８、３３２）の一方とを接合し、
前記端壁（３２８、３３０）、側壁（３２４、３２６）、頂壁（３３２）、及び隅壁（３３４）の各々が材料のウェブからなり、
前記カバー（３６０）が、頂壁（３３２）、前記側壁（３２４、３２６）、及び前記隅壁（３３４）を越える前記端壁（３２８、３３０）の一方からの材料の一体の延長部分を含み、前記カバー（３６０）が、中空の三角プリズムの形態を有し、
前記解放可能な取付け手段（３６４）が、前記隅壁（３３４）に隣接して前記カバー（３６０）の縁部に沿った、弱くした脆い領域を含み、前記脆い領域が、前記頂壁（３３２）、前記側壁（３２４、３２６）、及び前記端壁（３２８、３３０）の一方の、前記縁部に沿った前記材料の前記延長部分内に部分的な穿孔を含む、請求項１９に記載の包装体。
【請求項２１】  前記取付け具（３４４）が、口（３４８）を有し、
前記包装体が、初期状態で前記口（３４８）の上に装着されて前記口（３４８）を塞ぐ、前記塞いでいる部分から離して動かすことができる、別の外側蓋の形の開放可能なカバーをさらに含む、請求項２０に記載の包装体。
【請求項２２】  前記容器（２２）が、可撓性の袋状体（２２）である、請求項１９に記載の包装体。
【請求項２３】  前記取付け具（３４４）が、前記容器（３２２）の内部上で前記少なくとも１個の平坦な壁部分（３３４）にヒートシールされた、環状フランジ（４４２）を含み、
前記取付け具（３４４）が、環状の外端を有し、
膜（４６４）が、前記中空の取付け具（３４４）を密封閉鎖するように前記環状の外端にわたって解放可能に固定される、請求項１９に記載の包装体。
【請求項２４】  前記容器（３２２）の内部からの中味の排出をはかるために開口（３４０）を画成する、少なくとも１個の全体的に平坦な壁部分（３４４）を有する容器（２２、３２２）と、
前記平坦な壁部分（３３４）上の中空の取付け具（４３０、４４０）と、
前記中空の取付け具（４３０、４４０）に装着され、かつ、前記容器（３２２）の内部に面する前記弁（１８０）の側における圧力上昇に応答してそれを通る流れを可能にするように開く自動シール性のスリット（２６６）を有する、可撓性スリット弁（１８０）とを含み、
前記中空の取付け具（４３０、４４０）が、前記容器（３２２）に装着するようにされた、基部（４３０）及び弁担持体（４４０）を備える多片取付け具（４３０、４４０）であり、
前記基部（４３０）が、前記開口（３４０）の周りで前記容器の平坦な壁部分（３３４）にシール結合されるようになされたフランジ（４４２）と、前記フランジ（４４２）から延び、前記容器（３２２）の外部と内部の間の連通を確立するための、分与通路（４５４）の少なくとも一部を画成する、中空の突起（４５０）とを有し、
前記弁担持体（４４０）が、前記取付け具の基部の中空突起（４５０）に装着されるようにされ、前記分与通路（４５４）の一部を画成し、
前記可撓性弁（１８０）が、前記弁担持体（４４０）内に配置され、前記分与通路（４５４）を横断して固定されることを特徴とする包装体。
【請求項２５】  前記包装体が、前記平坦な壁部分（３３４）を越えて突出する前記取付け具（４３０、４４０）の部分の周りに気密シールされた容積部分を画成するように前記容器（３２２）から延びる、取外し可能な使い捨てカバー（３６０）を含み、前記カバー（３６０）が、前記容器（３２２）を画成する材料の一体の延長部分を含み、前記包装体が、弱くした脆い接続部（３６４）を含み、前記カバー（３６０）が、前記容器（３２２）から延びて前記脆い接続部（３６４）を破断することにより前記カバー（３６０）の取外しをはかる、請求項２４に記載の包装体。
【請求項２６】  初期状態で前記中空の取付け具（４３０、４４０）上に装着されて前記分与通路（４５４）を塞ぐ、前記塞いでいる部分から離して動かすことができる、別の外側蓋の形の開放可能なカバーをさらに含む、請求項２４に記載の包装体。
【請求項２７】  前記取付け具の基部フランジ（４４２）が環状であり、前記容器平坦な壁部分（３３４）にシール固定された前記容器（３２２）の内部上に配置されるようにされ、
前記取付け具の基部の中空の突起（４５０）が、環状の外端を有し、
前記包装体が、前記環状の外端にわたって解放可能に固定されて、前記基部中空の突起（４５０）によって画成された前記分与通路（４５４）の部分をシールして塞ぐ膜（４６４）をさらに含む、請求項２４に記載の包装体。
【請求項２８】  前記基部の中空の突起（４５０）が、外ねじ（４６０）を画成し、
前記弁担持体（４４０）が、前記中空の突起の外部ねじ（４６０）にねじ係合するようにされた、初期状態でねじを切ったスカート（４７０）と、前記スカート（４７０）から延び、前記分与通路（４５４）の一部を画成する一体の口（４７８）とを有する、請求項２４に記載の包装体。
【請求項２９】  前記容器（２２）が、可撓性の袋状体（２２）である、請求項２４に記載の包装体。